(57)【要約】【課題】収納や寝台に利用される上部台を安全に利用することが可能な建物を提供する。【解決手段】部屋３の上部の第１壁Ｗ１に沿って設けられ、収納や寝台に利用される上部台１を備える建物Ｈにおいて、上部台１の縁部に立て掛けて使用される昇降用梯子２を備え、この昇降用梯子２の上部には、上部台１に立て掛けた際に該昇降用梯子２を安定させるフックを設け、上部台１には、フックが係合される凹溝を上部台１の縁部に沿って延在して設ける。これにより、上部台１の凹溝に昇降用梯子２のフックを係合させることによって、昇降用梯子２を安定させ、上部台１への昇降を安全に行うことができる。また、上部台１の凹溝は該上部台１の縁部に沿って延在しているため、昇降用梯子２を上部台１の縁部の所望の位置に立て掛けて使用することができる。よって、上部台１上を移動する必要がないため、上部台１を安全に利用することができる。【選択図】図１
2007100400.tif 000002
【特許請求の範囲】
【請求項１】
部屋の上部の壁面に沿って設けられ、収納や寝台に利用される上部台を備える建物において、
前記上部台の縁部に立て掛けて使用される昇降用梯子を備え、
この昇降用梯子の上部には、前記上部台に立て掛けた際に該昇降用梯子を安定させる係合部材が設けられ、
前記上部台には、前記係合部材が係合される被係合部が前記上部台の縁部に沿って延在して設けられていることを特徴とする建物。
【請求項２】
前記係合部材はフックであり、前記被係合部は、前記上部台の縁部に沿って設けられた凹溝であることを特徴とする請求項１に記載の建物。
【請求項３】
前記昇降用梯子の上部には可撓性を有する線状部材の一端部が取り付けられており、この線状部材の他端部は、前記凹溝に係合されかつ抜け出しが防止された状態で該凹溝に沿って移動可能であることを特徴とする請求項２に記載された建物。
【請求項４】
前記上部台の上面には、収納棚が設けられていることを特徴とする請求項１〜３のいずれか一項に記載の建物。
【請求項５】
前記部屋は、吹抜を介して前記建物の小屋裏へと連通しており、この小屋裏に前記上部台が位置していることを特徴とする請求項１〜４のいずれか一項に記載の建物。
【請求項６】
前記部屋の天井は勾配天井であり、この勾配天井の天井が高い側に前記上部台が位置していることを特徴とする請求項１〜５のいずれか一項に記載の建物。
【請求項７】
前記部屋の壁面には、前記昇降用梯子の不要時に該昇降用梯子を引っ掛けて吊り下げる吊下用フックが設けられていることを特徴とする請求項１〜６のいずれか一項に記載の建物。
【発明の詳細な説明】
【技術分野】
【０００１】
本発明は、部屋の上部の壁面に沿って設けられ、収納や寝台に利用される上部台を備える建物に関する。
【背景技術】
【０００２】
部屋の上部の壁面に沿って設けられ、収納や寝台に利用される上部台を備える建物の一例として、特許文献１に記載のものが知られている。この建物は、住宅の中２階部分を構成するように上部台（ロフト）が設けられており、この上部台から床面に至る一対の支柱部材を設置し、これらの支柱部材間に昇降用の梯子を取り付けて上部台に住人が出入可能となるようにしたものである。
【特許文献１】特開２００３−２９３６７７号公報
【発明の開示】
【発明が解決しようとする課題】
【０００３】
しかしながら、特許文献１の構成では、昇降用の梯子が上部台の所定位置に固定されており、上部台上の収納物の設置状況によっては上部台上を移動する必要がある。よって、移動距離が長い場合や上部台が狭長の場合には、上部台から足を踏み外して転落してしまう恐れがあった。
【０００４】
本発明の課題は、収納や寝台に利用される上部台を安全に利用することが可能な建物を提供することである。
【課題を解決するための手段】
【０００５】
以上の課題を解決するため、請求項１に記載の発明は、例えば図１，２，４に示すように、部屋３の上部の壁面（例えば、第１壁Ｗ１）に沿って設けられ、収納や寝台に利用される上部台１を備える建物Ｈにおいて、
前記上部台１の縁部に立て掛けて使用される昇降用梯子２を備え、
この昇降用梯子２の上部には、前記上部台１に立て掛けた際に該昇降用梯子２を安定させる係合部材（例えば、フック２ｃ）が設けられ、
前記上部台１には、前記係合部材（例えば、フック２ｃ）が係合される被係合部（例えば、凹溝１ｂ）が前記上部台１の縁部に沿って延在して設けられていることを特徴としている。
【０００６】
請求項１に記載の発明によれば、上部台１の被係合部（例えば、凹溝１ｂ）に昇降用梯子２の係合部材（例えば、フック２ｃ）を係合させることによって、昇降用梯子２を安定させた状態で上部台１の縁部に立て掛け、床から上部台１への昇降を安全に行うことができる。また、上部台１の被係合部（例えば、凹溝１ｂ）は該上部台１の縁部に沿って延在して設けられているため、昇降用梯子２を上部台１の縁部の所望の位置に立て掛けて使用することができる。よって、上部台１上を移動する必要がないため、上部台１を安全に利用することができる。
【０００７】
請求項２に記載の発明は、例えば図２，４に示すように、請求項１に記載の建物Ｈにおいて、前記係合部材はフック２ｃであり、前記被係合部は、前記上部台１の縁部に沿って設けられた凹溝１ｂであることを特徴としている。
【０００８】
請求項２に記載の発明によれば、昇降用梯子２に設けられた係合部材はフック２ｃであり、上部台１の縁部に沿って設けられた被係合部は凹溝１ｂであるため、凹溝１ｂにフック２ｃを係合することによって昇降用梯子２を確実かつ容易に安定させ、床から上部台１への昇降を安全に行うことができる。また、フック２ｃを凹溝１ｂに係合させた状態で昇降用梯子２を容易に横移動することができる。
【０００９】
請求項３に記載の発明は、例えば図２，３に示すように、前記昇降用梯子２の上部には可撓性を有する線状部材（例えば、チェーン６）の一端部（例えば、端部６ａ）が取り付けられており、この線状部材（例えば、チェーン６）の他端部（例えば、アンカー型端部６ｂ）は、前記凹溝１ｂに係合されかつ抜け出しが防止された状態で該凹溝１ｂに沿って移動可能であることを特徴としている。
【００１０】
請求項３に記載の発明によれば、昇降用梯子２に取り付けられた可撓性を有する線状部材（例えば、チェーン６）の他端部（例えば、アンカー型端部６ｂ）が凹溝１ｂに係合されているため、昇降用梯子２が凹溝１ｂに直交する方向に倒れようとすると該昇降用梯子２を線状部材（例えば、チェーン６）が支持することになり、昇降用梯子２の転倒を防止することができる。また、線状部材（例えば、チェーン６）の他端部（例えば、アンカー型端部６ｂ）は凹溝１ｂに沿って移動可能なため、昇降用梯子２を上部台１の縁部のどこに立て掛けても、該昇降用梯子２の凹溝１ｂに直交する方向への転倒を防止することができる。
【００１１】
請求項４に記載の発明は、例えば図１に示すように、請求項１〜３のいずれか一項に記載の建物Ｈにおいて、前記上部台１の上面には、収納棚４が設けられていることを特徴としている。
【００１２】
請求項４に記載の発明によれば、上部台１の上面には収納棚４が設けられているため、収納物を収納することができるとともに、上部台１の上方の空間を有効利用することができる。
【００１３】
請求項５に記載の発明は、例えば図１に示すように、請求項１〜４のいずれか一項に記載の建物Ｈにおいて、前記部屋３は、吹抜を介して前記建物Ｈの小屋裏３ａへと連通しており、この小屋裏３ａに前記上部台１が位置していることを特徴としている。
【００１４】
請求項５に記載の発明によれば、部屋３は吹抜を介して小屋裏３ａへと連通しており、この小屋裏３ａに上部台１が位置しているため、上部台１を収納や寝台に利用することによって、小屋裏３ａ空間を有効利用することができる。
【００１５】
請求項６に記載の発明は、例えば図１に示すように、請求項１〜５のいずれか一項に記載の建物Ｈにおいて、前記部屋３の天井は勾配天井３ｂであり、この勾配天井３ｂの天井が高い側に前記上部台１が位置していることを特徴としている。
【００１６】
請求項６に記載の発明によれば、部屋の天井は勾配天井３ｂであり、この勾配天井３ｂの天井が高い側に上部台１が位置しているため、上部台１を収納や寝台に利用することによって、勾配天井３ｂの天井が高い側の空間を有効利用することができる。
【００１７】
請求項７に記載の発明は、例えば図１，４に示すように、請求項１〜６のいずれか一項に記載の建物Ｈにおいて、前記部屋３の壁面（例えば、第２壁Ｗ２）には、前記昇降用梯子２の不要時に該昇降用梯子２を引っ掛けて吊り下げる吊下用フック５ａが設けられていることを特徴としている。
【００１８】
請求項７に記載の発明によれば、部屋３の壁面（例えば、第２壁Ｗ２）には吊下用フック５ａが設けられているため、昇降用梯子２の不要時には該昇降用梯子２を吊下用フック５ａに引っ掛けて吊り下げることにより、昇降用梯子２を容易に収納することができる。
【発明の効果】
【００１９】
本発明によれば、昇降用梯子を上部台の所望の縁部に立て掛けて使用することができる。よって、上部台上を移動する必要がないため、上部台を安全に利用することができる。
【発明を実施するための最良の形態】
【００２０】
以下、図を参照して本発明に係る建物を詳細に説明する。
図１は、本発明に係る建物Ｈの２階部分の構成を示す部分断面図である。この建物Ｈは、部屋３と、この部屋３の上部の第１壁Ｗ１に沿って設けられ、収納に利用される上部台１と、この上部台１の縁部に立て掛けて使用される昇降用梯子２と、を備えている。なお、第１壁Ｗ１は、屋根の棟に沿って設けられている。
【００２１】
図１に示すように、部屋３は、建物Ｈの２階に設けられており、吹抜を介して小屋裏３ａへと連通している。また、部屋３の天井は、屋根の傾斜に合わせたものであり、第１壁Ｗ１に近付くほど高くなる勾配天井３ｂとなっている。さらに、この勾配天井３ｂの天井が高い側、すなわち第１壁Ｗ１に沿ってクローゼット３ｃが設けられており、このクローゼット３ｃの上に第１壁Ｗ１に沿って上部台１が設けられている。
【００２２】
図１〜３に示すように、上部台１には該上部台１の縁部に沿って笠木１ａが取り付けられている。この笠木１ａには該笠木１ａに沿って溝が設けられており、この溝に、断面Ｃ字型のレール部材１ｃが、開口部が上を向くように嵌め込まれて凹溝１ｂを形成している。また、この凹溝１ｂの両側を補強するために、金属製のフック受けプレート１ｄが取り付けられている。また、この凹溝１ｂには、後述するチェーン６のアンカー型端部６ｂが係合されており、昇降用梯子２の使用時には後述する該昇降用梯子２のフック２ｃが係合される。
【００２３】
また、上部台１は平面視において略長方形であり、その長辺が第１壁Ｗ１と平行になっている。また、上部台１の上面には、第１壁Ｗ１に沿って収納棚４が設置されており、この収納棚４は、上部台１の上面の幅の略半分を占有している。
【００２４】
図２，４に示すように、昇降用梯子２は、一対の支柱２ａとこれらの支柱２ａの間に所定間隔で設けられた複数の踏板２ｂから構成されており、支柱２ａの上部には金属板を曲げ加工して形成されたフック２ｃがそれぞれ設けられている。これらのフック２ｃの一端が上部台１の凹溝１ｂへと係合されることによって、昇降用梯子２が上部台１の縁部に立て掛けられる。なお、昇降用梯子２の支柱２ａの底部及び踏板２ｂは、昇降用梯子２が上部台１の縁部に立て掛けられた際に水平になるように、それぞれ傾斜している。
【００２５】
図２，３，４に示すように、昇降用梯子２の一方の支柱２ａの上部には、チェーン６の端部６ａが取り付けられている。また、チェーン６のアンカー型端部６ｂは、上部及び下部よりも中央部が小径である断面Ｉ字型をしており、上部台１の凹溝１ｂに係合されている。詳しくは、アンカー型端部６ｂの中央部がレール部材１ｃの開口部に位置し、アンカー型部材６ｂの上部及び下部はレール部材１ｃの開口部よりも大きいため該開口部を通過できない構成となっている。また、チェーン６のアンカー型端部６ｂは、凹溝１ｂに係合しかつ抜け出しが防止された状態で該凹溝１ｂに沿って移動可能となっている。
なお、笠木１ａの後述する第２壁Ｗ２（図４参照）の反対側の端部には、レール部材１ｃ及びフック受けプレート１ｄを設けないようにし、この端部からチェーン６のアンカー型端部６ｂの係合及び取り出しを行う。
【００２６】
図４に示すように、第２壁Ｗ２は、第１壁Ｗ１（図１参照）と直交する壁であり、この第２壁Ｗ２には、フック用プレート５が設けられ、このフック用プレート５には、一対の吊下用フック５ａが略同じ高さに設けられている。これらの吊下用フック５ａは、昇降用梯子２の不要時に該昇降用梯子２の上部の踏板２ｂを引っ掛けて吊り下げるためのものである。なお、昇降用梯子２は、チェーン６のアンカー型端部６ｂが上部台１の凹溝１ｂに係合された状態で、吊下用フック５ａに吊り下げられる。
【００２７】
次に、以上のように構成される建物Ｈが備える上部台１の利用方法について説明する。
【００２８】
通常時、すなわち上部台１への昇降を行わない時は、図４（ａ）に示すように、昇降用梯子２の上部の踏板２ｂを第２壁Ｗ２の吊下用フック５ａに引っ掛けることにより、昇降用梯子２は第２壁Ｗ２に接した状態で垂直に吊り下げておく。この時チェーン６のアンカー型端部６ｂは、上部台１の凹溝１ｂに係合されかつ抜け出しが防止された状態で、第２壁Ｗ２に最も近い場所に位置している。
【００２９】
上部台１への昇降を行う時には、図２，４（ｂ）に示すように、昇降用梯子２のフック２ｃを上部台１の縁部の笠木１ａに設けられた凹溝１ｂに係合させるとともに、昇降用梯子２の支柱の底面を床面Ｆに当接させた状態で、昇降用梯子２を傾斜させて安定させる。この時、凹溝１ｂの所望の位置に昇降用梯子２のフック２ｃを係合させる。例えば、使用者が上部台１上の収納物を降ろしたい場合には、この収納物に最も近い凹溝１ｂの位置に昇降用梯子２のフック２ｃを係合させて、昇降を行う。なお、上部台１の凹溝１ｂに昇降用梯子２のフック２ｃを係合させた状態で、昇降用梯子２を上部台１の縁部に沿ってスライドさせてもよい。また、昇降用梯子２を上部台１の縁部に立て掛ける時、上部台１の凹溝１ｂに係合されているチェーン６のアンカー型端部６ｂは第２壁Ｗ２と昇降用梯子２の間に位置するようにする。
【００３０】
以上の実施形態によれば、上部台１の凹溝１ｂに昇降用梯子２のフック２ｃを係合させることによって、昇降用梯子２を確実かつ容易に安定させ、床から上部台１への昇降を安全に行うことができる。また、上部台１の凹溝１ｂは該上部台１の縁部に沿って延在して設けられているため、昇降用梯子２を上部台１の縁部の所望の位置に立て掛けて使用することができる。よって、上部台１上を移動する必要がないため、上部台１を安全に利用することができる。また、フック２ｃを凹溝１ｂに係合させた状態で、昇降用梯子２を容易に横移動することができる。
【００３１】
また、昇降用梯子２に取り付けられたチェーン６のアンカー型端部６ｂが凹溝１ｂに係合されているため、昇降用梯子２が凹溝１ｂに直交する方向に倒れようとすると該昇降用梯子２をチェーン６が支持することになり、昇降用梯子２の転倒を防止することができる。また、チェーン６のアンカー型端部６ｂは凹溝１ｂに沿って移動可能なため、昇降用梯子２を上部台１の縁部のどこに立て掛けても、該昇降用梯子２の凹溝１ｂに直交する方向への転倒を防止することができる。
【００３２】
また、上部台１の上面には収納棚４が設けられているため、収納物を収納することができるとともに、上部台１の上方の空間を有効利用することができる。
【００３３】
さらに、部屋３は吹抜を介して小屋裏３ａへと連通しており、この小屋裏３ａに上部台１が位置しているため、上部台１を収納に利用することによって、小屋裏３ａ空間を有効利用することができる。
【００３４】
また、部屋の天井は勾配天井３ｂであり、この勾配天井３ｂの天井が高い側に上部台１が位置しているため、上部台１を収納に利用することによって、勾配天井３ｂの天井が高い側の空間を有効利用することができる。
【００３５】
さらに、部屋３の第２壁Ｗ２には吊下用フック５ａが設けられているため、昇降用梯子２の不要時には該昇降用梯子２を吊下用フック５ａに引っ掛けて吊り下げることにより、昇降用梯子２を容易に収納することができる。
【００３６】
なお、以上の実施形態においては、上部台１上に収納棚４を設置したが、本発明はこれに限定されるものではなく、寝台等を設置しても良い。
【図面の簡単な説明】
【００３７】
【図１】本発明に係る建物の構成を示す部分断面図である。
【図２】上部台及び昇降用梯子の構成を示すものであり、（ａ）は昇降用梯子を上部台の縁部に立て掛ける前の状態の部分断面図、（ｂ）は昇降用梯子を上部台の縁部に立て掛けた後の状態の部分断面図である。
【図３】チェーンの構成を示す部分断面図である。
【図４】上部台及び昇降用梯子の構成を示すものであり、（ａ）は昇降用梯子を吊下用フックに引っ掛けて吊り下げている状態の斜視図、（ｂ）は昇降用梯子を上部台の縁部に立て掛けている状態の斜視図である。
【符号の説明】
【００３８】
Ｈ  建物
１  上部台
１ｂ  凹溝
１ｃ  レール部材
２  昇降用梯子
２ｃ  フック
３  部屋
３ａ  小屋裏
３ｂ  勾配天井
４  収納棚
５ａ  吊下用フック
６  チェーン
【図１】
2007100400.tif 000003
【図２】
2007100400.tif 000004
【図３】
2007100400.tif 000005
【図４】
2007100400.tif 000006